(57)【要約】【課題】携帯用洗髪機に使用するシャワーヘッドにおいて、片手で握ったまま、先端の押し釦を押したり離したりすることにより、吐水・止水が簡単にできるシャワーヘッドを得る。【解決手段】流水流入口７における流水の流路と同一線上に設けられた止水弁操作部材５を有し、前記止水弁操作部材５の先端部に設けられた弁体４の外径より大なる内径を有する流入口７と止水弁操作部材５とを結ぶ軸線と直交する散水ユニット挿入開口１１を設け、前記散水ユニット挿入開口にシール用Ｏ−リング９を介して散水ユニット８を嵌入したシャワーヘッド。【選択図】          図１
2004202169.tif 000002
【特許請求の範囲】
【請求項１】
流水流入口（７）における流水流路と同一線上に設けられた止水弁操作部材（５）を有し、前記止水弁操作部材（５）の先端部に設けられた弁体（４）の外径より大なる内径を有する流水流入口（７）と止水弁操作部材（５）とを結ぶ軸線と直交する底部に散水ユニット挿入開口（１１）を設け、前記散水ユニット挿入開口（１１）にシール用Ｏ−リング（９）を介して散水ユニット（８）を嵌入したシャワーヘッド。
【請求項２】
散水ユニット（８）には、止水弁操作部材（５）に連動する止水弁の弁座（２３）を設けた入れ子（２）が一体に設けられている請求項１記載のシャワーヘッド。
【請求項３】
入れ子（２）の基盤（２ｄ）の外周部に、一体的に形成された円筒状の縁（２ａ）を有する基盤（２ｄ）と、前記基盤（２ｄ）の円筒状の縁（２ａ）と対向する円筒状の縁（３ａ）を設けた散水プレート（３）を有する請求項２記載のシャワーヘッドの散水ユニット（８）。
【請求項４】
入れ子（２）の仕切板（２ｃ）中央部には、止水弁操作部材（５）が貫通する弁開口部（１２）が設けられ、仕切板（２ｃ）下流側の基盤（２ｄ）には、その基盤（２ｄ）を貫通する流水用貫通孔（１３）が設けられている請求項３記載のシャワーヘッドの散水ユニット（８）。
【請求項５】
入れ子（２）の円筒状外周部の縁（２ａ）と、散水プレート（３）の円筒状外周部の縁（３ａ）には、それぞれ先端に向けてテーパ状に面取りがなされており、両者の縁を対向させ、互いの面取り部分（２ｂ、３ｂ）の間にＯ−リング（９）を嵌入し、締付け部材（１０）により前記入れ子（２）と散水プレート（３）を一体に固定することにより、散水ユニット（８）をシャワーヘッドの散水ユニット挿入開口（１１）に密封固定できるようにした請求項２乃至４のいずれかに記載された散水ユニット（８）を有してなるシャワーヘッド。
【発明の詳細な説明】
【０００１】
【発明の属する技術分野】
本発明は、訪問美容・理容及び訪問介護サービスなどに使用する携帯用洗髪機のシャワーヘッドに関するものである。
【０００２】
【従来の技術】
従来、この種のシャワーヘッドには、プッシュ式操作ボタンを有するシャワーヘッドや（例えば、特開平７−２４３６３号公報参照）、シャワーヘッドの握り部に開閉弁を設けた開閉弁付きシャワーヘッド（例えば、特開平１０−２８９００号公報参照）などが知られている。
【０００３】
【発明が解決しようとする課題】
従来の技術で述べたもののうち前者においては、シャワーヘッドの先端に押しボタンを有するものの、機能としては散水形態の切り替えを目的としたものであり、散水の吐水・止水には適応できないという問題があった。
【０００４】
また後者においては、シャワーヘッドの柄の部分に押しボタンを設けたものであり、浴室などで使用する長い柄を持つシャワーヘッドには便利であるが、美容・理容や介護の分野で使用される柄の無いシャワーヘッドには不向きであるという問題を有していた。
【０００５】
本発明は、従来の技術の有するこのような問題点に鑑みてなされたものであり、その目的とするところは、浴室などで使用されている長い柄のついたシャワーヘッドではなく、美容・理容師や介護士などが手の平に握り込むことのできる、即ち柄の無いシャワーヘッドにおいて、シャワーヘッドの内部に止水弁を組み込んだものであり、洗髪作業中にシャワーヘッドをその手から離すことなく、指先や手の平で湯水の吐水や止水を簡単にできるシャワーヘッドを提供しようとするものである。
【０００６】
【課題を解決するための手段】
上記目的を達成するために、本発明におけるシャワーヘッドにおいては、流水流入口における流水の流路と同一線上に設けられた止水弁操作部材を有し、前記止水弁操作部材の先端部に設けられた弁体の外径より大なる内径を有する流入口と止水弁操作部材とを結ぶ軸線と直交する底部に散水ユニット挿入開口を設け、前記散水ユニット挿入開口にシール用Ｏ−リングを介して散水ユニットを嵌入したものである。
【０００７】
そして、散水ユニットには、止水弁操作部材に連動する止水弁の弁座を設けた入れ子が一体に設けられている。
【０００８】
さらに、入れ子の基盤の外周部に、一体的に形成された円筒状の縁を有する基盤と、前記基盤の円筒状の縁と対向する円筒状の縁を設けた散水プレートを有するように構成されている。
【０００９】
また、入れ子の仕切板の中央部には、止水弁操作部材が貫通する弁開口部が設けられ、仕切板下流側の基盤には、その基盤を貫通する流水用貫通孔が設けられている。
【００１０】
そして、入れ子の円筒状外周部の縁と、散水プレートの円筒状外周部の縁には、それぞれ先端に向けてテーパ状に面取りがなされており、両者の縁を対向させ、互いの面取り部分の間にＯ−リングを嵌入し、締付け部材により前記入れ子と散水プレートを一体に固定することにより、散水ユニットをシャワーヘッドの散水ユニット挿入開口に密封固定できるようにしたものである。
【００１１】
【発明の実施の形態】
発明の実施の形態について図面を参照して説明する。
【００１２】
図１において、ヘッド本体部１ａの流水流入口７から導入された流水は、押し釦６を押すことにより、入れ子２の弁開口部１２が開き、流水は貫通口１３を通通って散水室１４に導かれ、散水プレート３の散水孔２１から散水できるように組み立てられている。
【００１３】
また押し釦６を離すと、押し釦の内部に組み込まれているスプリング１６の反発力により弁体４は弁開口部１２を閉止する。
【００１４】
止水弁操作部材５は、棒状の部材を軸として構成されており、流水流入口に面する側の先端部に弁体が固定され、対向する側には内部にスプリング１６を内蔵する押し釦６が軸端に固定されている。
【００１５】
更に、ヘッド本体部１ａの内側には、入れ子２の仕切板２ｃの外周部を両側から包み込むように２本のヘッド本体部の縁２２ａ，ｂを設け、両者の縁の中央部を溝状に形成した枠の中に入れ子２の仕切板２ｃの外周部を嵌入し、入れ子とヘッド本体の隙間が最小となるように形成されている。
【００１６】
入れ子２は、基盤２ｄにおいてヘッド本体部１ａに対し、入れ子の基盤２ｄに一体的に設けられた仕切板２ｃを有している。
【００１７】
散水プレート３は、締め付け部材１０によりＯ−リング９を嵌入した後、入れ子２の中心部に設けられているボス１７に、例えばスクリューネジやボルト／ナットなどの締付け部材１０により固定されている。
【００１８】
図２に示された実施例では、散水ユニット８を構成している入れ子２とＯ−リング９、及び散水プレート３を締め付け部材１０により一体とした状態を示したものであり、これをヘッド本体部１ａの下部を構成する散水ユニット挿入開口１１に嵌入するものである。
【００１９】
また、シャワーヘッドにホースを接続するための差込管２４を、流水流入口７に挿入しておく。
【００２０】
図３において、入れ子２は基盤２ｄ中央部からやゝずれた位置に基盤２ｄと直交する仕切板２ｃを設け、前記仕切板のほぼ中央に弁開口部１２を設け、前記弁開口部の周囲を弁座とするものである。図３では仕切板２ｃの裏側となる。
【００２１】
また、入れ子の基盤２ｄ上には、中央部に締付け部材１０を受け止めるボス１７があり、この両脇に流水の貫通孔１３ａ，ｂが開口されており、さらにこの入れ子２をヘッド本体部１ａに固定する為のネジ孔１８ａ，ｂがある。
【００２２】
【発明の効果】
本発明は、上述の通り構成されているので、次に記載する効果を奏する。
【００２３】
請求項１のシャワーヘッドにおいては、美容・理容師や介護士が訪問サービスを行う際、シャワーヘッドを片手で持ったまま、先端の押し釦を操作するだけで吐水または止水が簡単に出来るので、洗髪作業が容易となる。
【００２４】
湯水は押し釦を押している間のみ吐水するので、湯水を連続して吐水する方式に比べ、湯水の使用量が格段に少なくなるので、湯水の貯水槽を小さくすることができ、且つ持ち運びも便利となる。同時に汚れた排水の量も少なくでる。
【００２５】
また、シャワーヘッドに電気的なスイッチを付けた方式もあるが、これらに比べて漏電などの心配が無く極めて安全性が高い。
【００２６】
常時閉止型の弁を採用しているので、シャワーヘッド自体が逆止弁の作用を有するので、洗髪作業終了後シャワーヘッド部を高くし、押し釦を押せば、ホース内に滞留していた湯水を簡単に水槽に抜くことができる。
【００２７】
１本のＯ−リングで同時に３面の接合部を密封できるので、シャワーヘッドがコンパクトに仕上がり、製造コストも削減できる。
【図面の簡単な説明】
【図１】組立断面図である。
【図２】組立分解図である。
【図３】入れ子の斜視図である。
【符号の説明】
１    シャワーヘッド
１ａ  ヘッド本体部
２    入れ子
２ｃ  仕切板
２ｄ  基盤
３    散水プレート
４    弁体
５    止水弁操作部材
７    流水流入口
８    散水ユニット
９    Ｏ−リング
１１  散水ユニット挿入開口
１２  弁開口部
１３  貫通孔
２３  弁座
【図１】
2004202169.tif 000003
【図２】
2004202169.tif 000004
【図３】
2004202169.tif 000005